(57)【特許請求の範囲】
【請求項１】
第１映像データに含まれた特定の画素に供給されるサンプルデータを利用して、映像位置情報を生成する立ち上がり位置生成部と、
前記映像位置情報を利用して、映像の移動方向及び移動量を決定するシフト決定部と、を備え、
前記立ち上がり位置生成部は、前記サンプルデータの一部のビットの入力を受ける第１フリップフロップと、前記第１フリップフロップの出力信号の入力を受ける複数の第２フリップフロップと、を含む相互連結された複数のフリップフロップを含み、
前記映像位置情報は、前記第１フリップフロップ及び前記複数の第２フリップフロップから出力された信号のそれぞれの値の組み合わせから選択されたいずれか一つの値であることを特徴とする映像シフト制御部。
【請求項２】
前記第１フリップフロップ及び前記複数の第２フリップフロップの出力信号は、それぞれ０又は１の値を有することを特徴とする請求項１に記載の映像シフト制御部。
【請求項３】
前記サンプルデータの一部のビットは、前記サンプルデータに含まれた最下位ビットであることを特徴とする請求項１に記載の映像シフト制御部。
【請求項４】
前記立ち上がり位置生成部は、
第１サンプルデータの一部のビットの入力を受ける第１フリップフロップ、及び前記第１フリップフロップの出力信号の入力を受ける複数の第２フリップフロップを含み、前記第１フリップフロップ及び前記複数の第２フリップフロップから出力された信号の値を組み合わせた値を有する信号を生成する第１フリップフロップ部と、
第２サンプルデータの一部のビットの入力を受ける第３フリップフロップ、及び前記第３フリップフロップの出力信号の入力を受ける複数の第４フリップフロップを含み、前記第３フリップフロップ及び前記複数の第４フリップフロップから出力された信号の値を組み合わせた値を有する信号を生成する第２フリップフロップ部と、
第３サンプルデータの一部のビットの入力を受ける第５フリップフロップ、及び前記第５フリップフロップの出力信号の入力を受ける複数の第６フリップフロップを含み、前記第５フリップフロップ及び前記複数の第６フリップフロップから出力された信号の値を組み合わせた値を有する信号を生成する第３フリップフロップ部と、
前記第１フリップフロップ部、前記第２フリップフロップ部、及び前記第３フリップフロップ部から出力された信号のうちのいずれか一つを選択し、前記選択された信号を前記映像位置情報として出力する選択部と、を含むことを特徴とする請求項１に記載の映像シフト制御部。
【請求項５】
前記第１サンプルデータは、赤色映像データであり、
前記第２サンプルデータは、緑色映像データであり、
前記第３サンプルデータは、青色映像データであることを特徴とする請求項４に記載の映像シフト制御部。
【請求項６】
前記選択部は、前記第１フリップフロップ部から出力される信号のうちの一部を制御信号として入力を受け、前記制御信号に対応して前記第１フリップフロップ部、前記第２フリップフロップ部、及び前記第３フリップフロップ部から出力された信号のうちのいずれか一つを選択することを特徴とする請求項４に記載の映像シフト制御部。
【請求項７】
前記シフト決定部は、既に設定された数学式、又は既に保存された映像位置情報及びそれに対応する映像の移動方向及び移動量を含むルックアップテーブルを参照して、前記映像位置情報に対応する映像の移動方向及び移動量を決定することを特徴とする請求項１に記載の映像シフト制御部。
【請求項８】
表示パネルと、
映像の移動方向及び移動量を決定する映像シフト制御部と、
前記映像の移動方向及び移動量を反映して、第１映像データを第２映像データに補正する映像補正部と、
前記第２映像データに対応する映像が前記表示パネルに表示されるように前記表示パネルを制御する表示駆動部と、を備え、
前記映像シフト制御部は、
前記第１映像データに含まれた特定の画素に供給されるサンプルデータを利用して、映像位置情報を生成する立ち上がり位置生成部と、
前記映像位置情報を利用して、映像の移動方向及び移動量を決定するシフト決定部と、を含み、
前記立ち上がり位置生成部は、前記サンプルデータの一部のビットの入力を受ける第１フリップフロップと、前記第１フリップフロップの出力信号の入力を受ける複数の第２フリップフロップと、を含む相互連結された複数のフリップフロップを含み、
前記映像位置情報は、前記第１フリップフロップ及び前記複数の第２フリップフロップから出力された信号のそれぞれの値の組み合わせから選択されたいずれか一つの値であることを特徴とする表示装置。
【請求項９】
前記第１フリップフロップ及び前記複数の第２フリップフロップの出力信号は、それぞれ０又は１の値を有することを特徴とする請求項８に記載の表示装置。
【請求項１０】
前記サンプルデータの一部のビットは、前記サンプルデータに含まれた最下位ビットであることを特徴とする請求項８に記載の表示装置。
【請求項１１】
前記立ち上がり位置生成部は、
第１サンプルデータの一部のビットの入力を受ける第１フリップフロップ、及び前記第１フリップフロップの出力信号の入力を受ける複数の第２フリップフロップを含み、前記第１フリップフロップ及び前記複数の第２フリップフロップから出力された信号の値を組み合わせた値を有する信号を生成する第１フリップフロップ部と、
第２サンプルデータの一部のビットの入力を受ける第３フリップフロップ、及び前記第３フリップフロップの出力信号の入力を受ける複数の第４フリップフロップを含み、前記第３フリップフロップ及び前記複数の第４フリップフロップから出力された信号の値を組み合わせた値を有する信号を生成する第２フリップフロップ部と、
第３サンプルデータの一部のビットの入力を受ける第５フリップフロップ、及び前記第５フリップフロップの出力信号の入力を受ける複数の第６フリップフロップを含み、前記第５フリップフロップ及び前記複数の第６フリップフロップから出力された信号の値を組み合わせた値を有する信号を生成する第３フリップフロップ部と、
前記第１フリップフロップ部、前記第２フリップフロップ部、及び前記第３フリップフロップ部から出力された信号のうちのいずれか一つを選択し、前記選択された信号を前記映像位置情報として出力する選択部と、を含むことを特徴とする請求項８に記載の表示装置。
【請求項１２】
前記第１サンプルデータは、赤色映像データであり、
前記第２サンプルデータは、緑色映像データであり、
前記第３サンプルデータは、青色映像データであることを特徴とする請求項１１に記載の表示装置。
【請求項１３】
前記選択部は、前記第１フリップフロップ部から出力される信号のうちの一部を制御信号として入力を受け、前記制御信号に対応して前記第１フリップフロップ部、前記第２フリップフロップ部、及び前記第３フリップフロップ部から出力された信号のうちのいずれか一つを選択することを特徴とする請求項１１に記載の表示装置。
【請求項１４】
前記シフト決定部は、既に設定された数学式、又は既に保存された映像位置情報及びそれに対応する映像の移動方向及び移動量を含むルックアップテーブルを参照して、前記映像位置情報に対応する映像の移動方向及び移動量を決定することを特徴とする請求項８に記載の表示装置。
【発明の詳細な説明】
【技術分野】
【０００１】
本発明は、映像シフト制御部、及びこれを含む表示装置に関する。
【背景技術】
【０００２】
近年、有機電界発光表示装置（Ｏｒｇａｎｉｃ  Ｌｉｇｈｔ  Ｅｍｉｔｔｉｎｇ  Ｄｉｓｐｌａｙ）、液晶表示装置（Ｌｉｑｕｉｄ  Ｃｒｙｓｔａｌ  Ｄｉｓｐｌａｙ  Ｄｅｖｉｃｅ）、プラズマ表示装置（Ｐｌａｓｍａ  Ｄｉｓｐｌａｙ  Ｄｅｖｉｃｅ）など、多様な種類の表示装置等が広く使用されている。
【０００３】
ただし、上述した表示装置等は、駆動時間が長くなるにつれて特定ピクセルが劣化されて、その性能が低下される場合がある。例えば、公共の場所、車両などで情報伝達のために使用されるデジタル情報表示装置（Ｄｉｇｉｔａｌ  Ｉｎｆｏｒｍａｔｉｏｎ  Ｄｉｓｐｌａｙ  Ｄｅｖｉｃｅ）は、特定映像または文字を長時間持続的に出力するため、特定ピクセルの劣化が加速されて残像が発生しえる。
【０００４】
上述した問題点を解決するために、表示パネル上に一定の周期ごとに映像を移動させて表示する技術（いわゆる、ピクセルシフト（Ｐｉｘｅｌ  Ｓｈｉｆｔ））技術が使用されている。
【０００５】
表示パネル上に一定の周期ごとに映像を移動させて表示すると、特定ピクセルに同一のデータが長時間出力されることを防止して、特定ピクセルが劣化されることを改善することができる。
【０００６】
しかしながら、従来のピクセルシフト技術は、最初の位置で既に設定された方向に沿って映像が移動された後、表示パネルがオフになってから再びオンになる場合、映像は最初の位置から再び同一方向へ移動される。このため、従来のピクセルシフト技術は、同一の一部区間に沿って映像が反復的に動くことになるので、残像補正の效果が大きくなかった。
【０００７】
一方、上述した問題点の解決のために、別途のメモリーを具備して前記メモリーに一定の時間間隔で映像位置を保存するような方式が提案された。これによって、表示パネルがオフされてから再びオンになる場合、保存された映像位置をメモリーから認識してその位置から再び映像を移動させることができるようになった。
【０００８】
しかし、上述した方式は、別途のメモリーが必要であり、かつそのメモリーに対するインターフェースを必ず具備しなければならないという短所が存在した。
【発明の概要】
【発明が解決しようとする課題】
【０００９】
したがって、本発明は、上述した問題点を解決するために案出されたもので、その目的は、別途のメモリーを利用することなく、映像の立ち上がりの位置を変更することができる映像シフト制御部、及びこれを含む表示装置を提供することである。
【課題を解決するための手段】
【００１０】
上記のような目的を果たすために本発明の実施例による映像シフト制御部は、第１映像データに含まれたサンプルデータを利用して、映像位置情報を生成する立ち上がり位置生成部、及び前記映像位置情報を利用して、映像の移動方向及び移動量を決定するシフト決定部を含む。
【００１１】
また、前記立ち上がり位置生成部は、前記サンプルデータの一部のビットの入力を受ける第１フリップフロップ、及び前のフリップフロップの出力信号の入力を受ける複数の第２フリップフロップを含む。
【００１２】
また、前記映像位置情報は、前記第１フリップフロップ及び前記第２フリップフロップから出力された信号の組み合わせからなることを特徴とする。
【００１３】
また、前記第１フリップフロップ及び前記第２フリップフロップの出力信号は、それぞれ０または１の値を有することを特徴とする。
【００１４】
また、前記サンプルデータの一部のビットは、前記サンプルデータに含まれた最下位ビットであることを特徴とする。
【００１５】
また、前記立ち上がり位置生成部は、第１サンプルデータの一部のビットの入力を受ける第１フリップフロップ、及び前のフリップフロップの出力信号の入力を受ける複数の第２フリップフロップを含む第１フリップフロップ部と、第２サンプルデータの一部のビットの入力を受ける第３フリップフロップ、及び前のフリップフロップの出力信号の入力を受ける複数の第４フリップフロップを含む第２フリップフロップ部と、第３サンプルデータの一部のビットの入力を受ける第５フリップフロップ、及び前のフリップフロップの出力信号の入力を受ける複数の第６フリップフロップを含む第３フリップフロップ部と、前記第１フリップフロップ部、前記第２フリップフロップ部及び前記第３フリップフロップ部から出力された信号のうちいずれか一つを選択し、選択された信号を前記映像位置情報として出力する選択部と、を含む。
【００１６】
また、前記第１サンプルデータは、赤色映像データで、前記第２サンプルデータは、緑色映像データであり、前記第３サンプルデータは、青色映像データであることを特徴とする。
【００１７】
また、前記選択部は、前記第１フリップフロップ部から出力される信号のうち一部を制御信号として入力を受け、前記制御信号に対応して前記第１フリップフロップ部、前記第２フリップフロップ部及び前記第３フリップフロップ部から出力された信号のうちいずれか一つを選択することを特徴とする。
【００１８】
また、前記シフト決定部は、既に設定された数学式または既保存されたルックアップテーブルを利用して、前記映像位置情報に対応する映像の移動方向及び移動量を決定することを特徴とする。
【００１９】
さらに、本発明の実施例による表示装置は、表示パネル、映像の移動方向及び移動量を決定する映像シフト制御部と、前記映像の移動方向及び移動量を反映して、第１映像データを第２映像データに補正する映像補正部と、前記第２映像データに対応する映像が前記表示パネルに表示されるように前記表示パネルを制御する表示駆動部と、を含み、前記映像シフト制御部は、前記第１映像データに含まれたサンプルデータを利用して、映像位置情報を生成する立ち上がり位置生成部及び前記映像位置情報を利用して、映像の移動方向及び移動量を決定するシフト決定部と、を含む。
【００２０】
また、前記立ち上がり位置生成部は、前記サンプルデータの一部のビットの入力を受ける第１フリップフロップ及び前のフリップフロップの出力信号の入力を受ける複数の第２フリップフロップを含む。
【００２１】
また、前記映像位置情報は、前記第１フリップフロップ及び前記第２フリップフロップから出力された信号の組み合わせからなることを特徴とする。
【００２２】
また、前記第１フリップフロップ及び前記第２フリップフロップの出力信号は、それぞれ０または１の値を有することを特徴とする。
【００２３】
また、前記サンプルデータの一部のビットは、前記サンプルデータに含まれた最下位ビットであることを特徴とする。
【００２４】
また、前記立ち上がり位置生成部は、第１サンプルデータの一部のビットの入力を受ける第１フリップフロップ、及び前のフリップフロップの出力信号の入力を受ける複数の第２フリップフロップを含む第１フリップフロップ部と、第２サンプルデータの一部のビットの入力を受ける第３フリップフロップ、及び前のフリップフロップの出力信号の入力を受ける複数の第４フリップフロップを含む第２フリップフロップ部と、第３サンプルデータの一部のビットの入力を受ける第５フリップフロップ、及び前のフリップフロップの出力信号の入力を受ける複数の第６フリップフロップを含む第３フリップフロップ部と、前記第１フリップフロップ部、前記第２フリップフロップ部及び前記第３フリップフロップ部から出力された信号のうちいずれか一つを選択し、選択された信号を前記映像位置情報として出力する選択部と、を含む。
【００２５】
また、前記第１サンプルデータは、赤色映像データで、前記第２サンプルデータは、緑色映像データであり、前記第３サンプルデータは、青色映像データであることを特徴とする。
【００２６】
また、前記選択部は、前記第１フリップフロップ部から出力される信号のうち一部を制御信号として入力を受けて、前記制御信号に対応して前記第１フリップフロップ部、前記第２フリップフロップ部及び前記第３フリップフロップ部から出力された信号のうちいずれか一つを選択することを特徴とする。
【００２７】
また、前記シフト決定部は、既に設定された数学式または既に保存されたルックアップテーブルを利用して、前記映像位置情報に対応する映像の移動方向及び移動量を決定することを特徴とする。
【発明の効果】
【００２８】
以上のように本発明の実施例によれば、別途のメモリーを利用しなくとも映像の立ち上がり位置を変更することができる映像シフト制御部、及びこれを含む表示装置を提供することができるという効果を奏する。
【図面の簡単な説明】
【００２９】
【図１】本発明の実施例による表示装置を示した図面である。
【図２】本発明の実施例による表示パネル、表示駆動部及び映像補正部を示した図面である。
【図３】本発明の実施例による映像シフト制御部を示した図面である。
【図４】本発明の実施例による立ち上がり位置生成部を示した図面である。
【図５】本発明の実施例による立ち上がり位置生成部の動作について説明するための表である。
【図６】本発明の実施例によるシフト決定部の動作について説明するための表である。
【図７】本発明の実施例によって映像が移動される様子を示した図面である。
【図８Ａ】本発明の実施例による映像補正部の動作について説明するための図面である。
【図８Ｂ】本発明の実施例による映像補正部の動作について説明するための図面である。
【図９】本発明の他の実施例による立ち上がり位置生成部を示した図面である。
【発明を実施するための形態】
【００３０】
その他の実施例の具体的な事項は詳細な説明及び図面に含まれている。本発明の利点及び特徴、そして、これらを果たす方法は、添付される図面と共に詳細に後述されている実施例を参照すれば明確になる。
【００３１】
しかし、本発明は以下で開示される実施例に限定されるものではなく、互いに異なる多様な形態で具現されることができ、以下の説明である部分が他の部分と連結されているとした時、これは直接的に連結されている場合のみならず、その中間に他の素子を間に置いて電気的に連結されている場合をも含む。
【００３２】
さらに、図面で本発明と関係ない部分は、本発明の説明を明確にさせるために略しており、明細書全体を通じて類似した部分に対しては同一の図面符号を付けた。
【００３３】
以下、本発明の実施例に係わる図面を参照して本発明の実施例による映像シフト制御部及びこれを含む表示装置について説明する。
【００３４】
図１は、本発明の実施例による表示装置を示した図面である。図１を参照すれば、本発明の実施例による表示装置１０は、ホスト１００、表示パネル１１０、表示駆動部１２０、映像シフト制御部１４０及び映像補正部１５０を含むことができる。
【００３５】
ホスト１００は、映像補正部１５０に第１映像データＤｉ１を供給することができる。また、図示しなかったが、ホスト１００は、表示駆動部１２０に第１映像データＤｉ１を供給することができる。そして、ホスト１００は、制御信号Ｃｓを表示駆動部１２０に供給することができる。
【００３６】
前記制御信号Ｃｓは、垂直同期信号（Ｖｅｒｔｉｃａｌ  Ｓｙｎｃｈｒｏｎｉｚａｔｉｏｎ  Ｓｉｇｎａｌ）、水平同期信号（Ｈｏｒｉｚｏｎｔａｌ  Ｓｙｎｃｈｒｏｎｉｚａｔｉｏｎ  Ｓｉｇｎａｌ）、データイネーブル信号（Ｄａｔａ  Ｅｎａｂｌｅ  Ｓｉｇｎａｌ）、クロック信号（Ｃｌｏｃｋ  Ｓｉｇｎａｌ）などを含むことができる。
【００３７】
また、必要な場合、ホスト１００は、制御信号Ｃｓを映像シフト制御部１４０及び映像補正部１５０に供給することができる。
【００３８】
ホスト１００は、サンプルデータＤｓを映像シフト制御部１４０に供給することができる。
【００３９】
サンプルデータＤｓは、第１映像データＤｉ１の一部分でありえる。例えば、サンプルデータＤｓは、特定の画素に供給される赤色映像データ、緑色映像データまたは青色映像データでありえる。一例として、ホスト１００は、プロセッサ、グラフィック処理装置、メモリーなどを含むことができる。
【００４０】
表示パネル１１０は、複数の画素を含むことで、所定の映像を表示することができる。例えば、表示パネル１１０は、表示駆動部１２０の制御によって映像を表示することができる。
【００４１】
また、表示パネル１１０は有機電界発光表示パネル、液晶表示パネル、プラズマ表示パネルなどで具現されることができるが、これに制限されない。
【００４２】
後ほど、図２を参照して表示パネル１１０についてより詳しく説明する。
【００４３】
表示駆動部１２０は、駆動信号Ｄｄを表示パネル１１０に供給することで、前記表示パネル１１０の映像表示動作を制御することができる。例えば、表示駆動部１２０は外部から供給される映像データＤｉ１、Ｄｉ２と制御信号Ｃｓを利用して、駆動信号Ｄｄを生成することができる。
【００４４】
例えば、表示駆動部１２０は、映像補正部１５０から第２映像データＤｉ２の供給を受けて、前記第２映像データＤｉ２を利用して特定の位置に移動された映像を表示することができる。
【００４５】
また、表示駆動部１２０は、映像補正部１５０の第２映像データＤｉ２の代わりにホスト１００から第１映像データＤｉ１の供給を受けて、前記第１映像データＤｉ１を利用してピクセルシフト機能が適用されていない映像を表示することもできる。後ほど、図２を参照して表示駆動部１２０についてより詳しく説明する。
【００４６】
映像シフト制御部１４０は、映像が表示される位置を決定することができる。例えば、映像シフト制御部１４０は、映像の移動方向及び移動量を決定することができる。後ほど、図３及び図４を参照して映像シフト制御部１４０についてより詳しく説明する。
【００４７】
映像補正部１５０は、外部から供給される第１映像データＤｉ１を第２映像データＤｉ２に変換することができる。
【００４８】
具体的に、映像補正部１５０は、映像シフト制御部１４０で決定された映像の移動方向ＳＤ及び移動量ＳＱを反映し、第１映像データＤｉ１を第２映像データＤｉ２に変換することができる。
【００４９】
また、映像補正部１５０は、第２映像データＤｉ２を表示駆動部１２０に供給することができる。この際、映像補正部１５０は、ホスト１００から第１映像データＤｉ１の供給を受けることができる。
【００５０】
映像補正部１５０は、図１に示されたように、表示駆動部１２０と別個で分離して位置することができる。ただし、他の実施例においては映像補正部１５０が表示駆動部１２０またはホスト１００に統合されることができる。
【００５１】
図２は、本発明の実施例による表示パネル、表示駆動部及び映像補正部を示した図面である。
【００５２】
図２を参照すれば、本発明の実施例による表示パネル１１０は、複数のデータ線Ｄ１〜Ｄｍ、複数の走査線Ｓ１〜Ｓｎ、及び、複数の画素Ｐを含むことができる。
【００５３】
画素Ｐは、データ線Ｄ１〜Ｄｍ及び走査線Ｓ１〜Ｓｎと連結されることができる。例えば、画素Ｐは、データ線Ｄ１〜Ｄｍと走査線Ｓ１〜Ｓｎとの交差領域にマトリックス形態で配置されることができる。
【００５４】
また、各画素Ｐは、データ線Ｄ１〜Ｄｍ、及び走査線Ｓ１〜Ｓｎを介してデータ信号及び走査信号の供給を受けることができる。
【００５５】
また、表示駆動部１２０は、走査駆動部１２１、データ駆動部１２２、及びタイミング制御部１２５を含むことができる。また、表示駆動部１２０の駆動信号Ｄｄは、走査信号とデータ信号を含むことができる。
【００５６】
走査駆動部１２１は、走査駆動部制御信号ＳＣＳに応答して走査線Ｓ１〜Ｓｎに走査信号を供給することができる。例えば、走査駆動部１２１は、走査線Ｓ１〜Ｓｎに走査信号を順次に供給することができる。
【００５７】
走査駆動部１２１は、別途の構成要素（例えば、回路基板）を介して表示パネル１１０に位置した走査線Ｓ１〜Ｓｎと電気的に接続されることができる。
【００５８】
また、他の実施例において、走査駆動部１２１は表示パネル１１０に直接実装されることができる。
【００５９】
データ駆動部１２２は、タイミング制御部１２５からデータ駆動部制御信号ＤＣＳと第２映像データＤｉ２の入力を受けて、データ信号を生成することができる。また、データ駆動部１２２は、生成されたデータ信号をデータ線Ｄ１〜Ｄｍに供給することができる。
【００６０】
データ駆動部１２２は、別途の構成要素（例えば、回路基板）を介して表示パネル１１０に位置したデータ線Ｄ１〜Ｄｍと電気的に接続されることができる。
【００６１】
また、他の実施例において、データ駆動部１２２は表示パネル１１０に直接実装されることができる。
【００６２】
データ線Ｄ１〜Ｄｍを介してデータ信号の供給を受けた画素Ｐは、前記データ信号に対応する輝度で発光することができる。
【００６３】
データ駆動部１２２は、図２に示されたようにタイミング制御部１２５から第２映像データＤｉ２の入力を受けることができる。
【００６４】
また、他の実施例において、データ駆動部１２２は、映像補正部１５０から第２映像データＤｉ２の入力を受けることができる。
【００６５】
これにより、データ駆動部１２２は、映像補正部１５０によって補正された第２映像データＤｉ２を画素Ｐに供給することができ、これによって表示パネル１１０は、第２映像データＤｉ２に対応する映像（例えば、特定方向に移動された映像）を表示することができる。
【００６６】
データ駆動部１２２は、図２に示されたように、走査駆動部１２１とは別個で分離して位置することができる。ただし、他の実施例においてはデータ駆動部１２２が走査駆動部１２１に統合されることができる。
【００６７】
タイミング制御部１２５は、ホスト１００から制御信号Ｃｓの入力を受けることができる。
【００６８】
タイミング制御部１２５は、制御信号Ｃｓに基づいて走査駆動部１２１及びデータ駆動部１２２を制御するための制御信号を生成することができる。例えば、前記制御信号は、走査駆動部１２１を制御するための走査駆動部制御信号ＳＣＳと、データ駆動部１２２を制御するためのデータ駆動部制御信号ＤＣＳを含むことができる。したがって、タイミング制御部１２５は、走査駆動部制御信号ＳＣＳを走査駆動部１２１に供給し、データ駆動部制御信号ＤＣＳをデータ駆動部１２２に供給することができる。
【００６９】
また、タイミング制御部１２５は、映像補正部１５０から第２映像データＤｉ２の入力を受けることができる。この際、タイミング制御部１２５は、データ駆動部１２２の仕様に合わせて第２映像データＤｉ２を変換してデータ駆動部１２２に供給することができる。
【００７０】
映像補正部１５０は、図２に示されたように、タイミング制御部１２５とは別個で分離して位置することができる。ただし、他の実施例においては映像補正部１５０がタイミング制御部１２５に統合されることができる。
【００７１】
また、他の実施例においては、タイミング制御部１２５がホスト１００から第１映像データＤｉ１の供給を受けて、前記第１映像データＤｉ１を映像補正部１５０に伝達することができる。この場合、映像補正部１５０は、ホスト１００から第１映像データＤｉ１の伝達を受ける必要がなくなる。
【００７２】
図３は、本発明の実施例による映像シフト制御部を示した図面、図４は、本発明の実施例による立ち上がり位置生成部を示した図面である。
【００７３】
本発明の実施例による映像シフト制御部１４０は、映像が表示される位置（例えば、映像の移動方向及び移動量）を別途のメモリーを利用せず、リアルタイムで決定することができる。
【００７４】
このために、本発明の実施例による映像シフト制御部１４０は、図３に示されたように、立ち上がり位置生成部１４１及びシフト決定部１４３を含むことができる。
【００７５】
立ち上がり位置生成部１４１は、第１映像データＤｉ１に含まれた一部のデータ（サンプルデータＤｓ）を利用して映像位置情報ＰＩを生成することができる。
【００７６】
このために、本発明の実施例による立ち上がり位置生成部１４１は、相互連結された複数のフリップフロップ２１０、２２１、２２２、２２３、２２４を含むことができる。この際、複数のフリップフロップ２１０、２２１、２２２、２２３、２２４は、第１フリップフロップ２１０及び複数の第２フリップフロップ２２１、２２２、２２３、２２４を含むことができる。
【００７７】
第１フリップフロップ２１０は、第１入力端Ｄを介してサンプルデータＤｓの入力を受けることができる。例えば、第１フリップフロップ２１０は、サンプルデータＤｓの一部のビットＢｄｓを第１入力端Ｄを介して入力を受けることができる。
【００７８】
この際、第１フリップフロップ２１０に入力されるサンプルデータＤｓの一部のビットＢｄｓは、サンプルデータＤｓの最上位ビット（Ｍｏｓｔ  Ｓｉｇｎｉｆｉｃａｎｔ  Ｂｉｔ；ＭＳＢ）、最下位ビット（Ｌｅａｓｔ  Ｓｉｇｎｉｆｉｃａｎｔ  Ｂｉｔ；ＬＳＢ）、または最上位ビットと最下位ビットとの間に位置したビットのうち一つでありえる。
【００７９】
例えば、サンプルデータＤｓの値が「１０１１０」である場合、前記サンプルデータＤｓの最上位ビットである「１」が、第１フリップフロップ２１０に入力されるか、前記サンプルデータＤｓの最下位ビットである「０」が、第１フリップフロップ２１０に入力されることができる。
【００８０】
また、サンプルデータＤｓのうち最上位ビットと最下位ビットを除いた「０１１」のうちいずれか一つのビットが第１フリップフロップ２１０に入力されることができる。ただし、最下位ビットが最上位ビットよりも頻繁に変更されるので、第１フリップフロップ２１０に入力されるビットを、サンプルデータＤｓの最下位ビットで設定する場合、ランダム性（Ｒａｎｄｏｍｎｅｓｓ）をさらに強化することができる。
【００８１】
複数の第２フリップフロップ２２１、２２２、２２３、２２４は、前のフリップフロップの出力信号の入力を受けることができる。このために、前のフリップフロップの出力端Ｑは次のフリップフロップの入力端Ｄに連結されることができる。
【００８２】
また、各フリップフロップ２１０、２２１、２２２、２２３、２２４の第２入力端Ｃには、クロック信号ＣＬＫが入力されることができる。この際、クロック信号ＣＬＫは、ホスト１００から供給されることができる。
【００８３】
フリップフロップ２１０、２２１、２２２、２２３、２２４は、第１フリップフロップ２１０に入力されたサンプルデータＤｓの一部のビットＢｄｓに対応して、各自の出力端Ｑを介して信号Ｅ１、Ｅ２、Ｅ３、Ｅ４、Ｅ５を出力することができる。この際、立ち上がり位置生成部１４１から生成される映像位置情報ＰＩは、フリップフロップ２１０、２２１、２２２、２２３、２２４の出力信号Ｅ１、Ｅ２、Ｅ３、Ｅ４、Ｅ５の組み合わせからなることができる。このために、本発明の実施例による立ち上がり位置生成部１４１は、組み合わせ部２２９をさらに含むことができる。
【００８４】
組み合わせ部２２９は、フリップフロップ２１０、２２１、２２２、２２３、２２４から出力信号Ｅ１、Ｅ２、Ｅ３、Ｅ４、Ｅ５を受信して、前記出力信号Ｅ１、Ｅ２、Ｅ３、Ｅ４、Ｅ５を組み合わせて映像位置情報ＰＩを生成することができる。
【００８５】
また、組み合わせ部２２９は、複数の映像位置情報ＰＩが存在する場合、そのうち一つの映像位置情報ＰＩのみを選択してシフト決定部１４３に出力することができる。
【００８６】
フリップフロップ２１０、２２１、２２２、２２３、２２４の出力信号Ｅ１、Ｅ２、Ｅ３、Ｅ４、Ｅ５は、それぞれ「０」または「１」の値を有することができる。
【００８７】
例えば、フリップフロップ２１０、２２１、２２２、２２３、２２４から出力された信号Ｅ１、Ｅ２、Ｅ３、Ｅ４、Ｅ５の値が、それぞれ「０」、「１」、「０」、「１」、「０」の場合を仮定する。この際、組み合わせ部２２９は、Ｅ１-Ｅ２-Ｅ３-Ｅ４-Ｅ５の順に出力信号Ｅ１、Ｅ２、Ｅ３、Ｅ４、Ｅ５を組み合わせて、「０１０１０」の値を有する映像位置情報ＰＩを生成することができる。
【００８８】
大体、組み合わせ部２２９は出力信号Ｅ１、Ｅ２、Ｅ３、Ｅ４、Ｅ５の組み合わせ手順を異にして、映像位置情報ＰＩを生成することができる。例えば、組み合わせ部２２９は、Ｅ２-Ｅ４-Ｅ１-Ｅ３-Ｅ５の順に出力信号Ｅ１、Ｅ２、Ｅ３、Ｅ４、Ｅ５を組み合わせて、「１１０００」の値を有する映像位置情報ＰＩを生成することができる。
【００８９】
図４では、５個のフリップフロップ２１０、２２１、２２２、２２３、２２４を示したが、その個数は多様に変化されることができる。また、図４では、例示的にＤフリップフロップ（Ｄ  Ｆｌｉｐ−Ｆｌｏｐ）を示したが、フリップフロップの種類は多様に変化されることができる。
【００９０】
シフト決定部１４３は、立ち上がり位置生成部１４１によって生成された映像位置情報ＰＩの入力を受けて、入力された映像位置情報ＰＩを利用して映像の移動方向ＳＤ及び移動量ＳＱを決定することができる。
【００９１】
例えば、シフト決定部１４３は、既に設定された数学式または既に保存されたルックアップテーブルを利用して、前記映像位置情報ＰＩに対応する映像の移動方向ＳＤ及び移動量ＳＱを決定することができる。
【００９２】
図５は、本発明の実施例による立ち上がり位置生成部の動作について説明するための表である。図５を参照して、本発明の実施例による立ち上がり位置生成部１４１の動作を調べて見る。特に、立ち上がり位置生成部１４１の第１フリップフロップ２１０に供給されるビットＢｄｓが「１」である場合を例示的に調べて見る。
【００９３】
また、フリップフロップ２１０、２２１、２２２、２２３、２２４の出力信号Ｅ１、Ｅ２、Ｅ３、Ｅ４、Ｅ５をそれぞれ第１出力信号Ｅ１、第２出力信号Ｅ２、第３出力信号Ｅ３、第４出力信号Ｅ４、第５出力信号Ｅ５と指称する。そして、現在の出力信号Ｅ１、Ｅ２、Ｅ３、Ｅ４、Ｅ５の値が「０」である場合を仮定する。
【００９４】
左側から一番目に位置したフリップフロップ２１０の入力端Ｄに「１」が供給されると、第１出力信号Ｅ１の値が「０」から「１」に変更される。この際、残りの出力信号Ｅ２、Ｅ３、Ｅ４、Ｅ５の値は、「０」に維持される。
【００９５】
第１出力信号Ｅ１の値は、クロック信号ＣＬＫの遷移時点（上昇エッジまたは下降エッジ）で変更されることができる。そのため、この場合、組み合わせ部２２９によって「１００００」の値を有する映像位置情報ＰＩが生成されることができる。
【００９６】
大体、組み合わせ部２２９が出力信号Ｅ１、Ｅ２、Ｅ３、Ｅ４、Ｅ５の組み合わせ手順を異にして、他の値を有する映像位置情報ＰＩを生成することができることは既に前述した。
【００９７】
第１出力信号Ｅ１の値が「０」から「１」に変更されることによって左側から二番目に位置したフリップフロップ２２１の入力端Ｄに「１」が供給される。したがって、クロック信号ＣＬＫの次の遷移が時点で第２出力信号Ｅ２の値は、「０」から「１」に変更される。この際、第３ないし第５出力信号Ｅ３、Ｅ４、Ｅ５の値は、「０」に維持される。そのため、この場合、組み合わせ部２２９によって「１１０００」の値を有する映像位置情報ＰＩが生成されることができる。
【００９８】
第２出力信号Ｅ２の値が「０」から「１」に変更されることによって左側から三番目に位置したフリップフロップ２２２の入力端Ｄに「１」が供給される。したがって、クロック信号ＣＬＫの次の転移時点で第３出力信号Ｅ３の値は、「０」から「１」に変更される。この際、第４、５出力信号Ｅ４、Ｅ５の値は「０」に維持される。そのため、この場合、組み合わせ部２２９によって「１１１００」の値を有する映像位置情報ＰＩが生成されることができる。
【００９９】
第３出力信号Ｅ２の値が「０」から「１」に変更されることによって左側から四番目に位置したフリップフロップ２２３の入力端Ｄに「１」が供給される。したがって、クロック信号ＣＬＫの次の転移時点で第４出力信号Ｅ４の値は、「０」から「１」に変更される。
この際、第５出力信号Ｅ５の値は、「０」に維持される。そのため、この場合、組み合わせ部２２９によって「１１１１０」の値を有する映像位置情報ＰＩが生成されることができる。
【０１００】
第４出力信号Ｅ４の値が「０」から「１」に変更されることによって左側から五番目に位置したフリップフロップ２２４の入力端Ｄに「１」が供給される。したがって、クロック信号ＣＬＫの次の転移時点で第５出力信号Ｅ５の値は「０」から「１」に変更される。
【０１０１】
そのため、すべての出力信号Ｅ１、Ｅ２、Ｅ３、Ｅ４、Ｅ５の値は、「１」に維持される。したがって、この場合、組み合わせ部２２９によって「１１１１１」の値を有する映像位置情報ＰＩが生成されることができる。
【０１０２】
上述した動作によって複数の映像位置情報ＰＩが生成されることができ、この際、組み合わせ部２２９は、複数の映像位置情報ＰＩのうちいずれか一つを選択してシフト決定部１４３に出力することができる。
【０１０３】
図６は、本発明の実施例によるシフト決定部の動作について説明するための表である。図６を参照して、本発明の実施例によるシフト決定部１４３の動作を調べて見る。
【０１０４】
シフト決定部１４３は、立ち上がり位置生成部１４１から映像位置情報ＰＩの入力を受けることができる。この際、シフト決定部１４３は、既に保存されたルックアップテーブルＬＵＴを参照し、映像位置情報ＰＩに対応する映像の移動方向ＳＤ及び移動量ＳＱを算出することができる。
【０１０５】
図６を参照すれば、ルックアップテーブルＬＵＴは映像位置情報ＰＩと、それに対応する映像の移動方向ＳＤ及び移動量ＳＱを含むことができる。例えば、映像の移動方向ＳＤは、Ｘ軸移動方向ＳＤｘ及びＹ軸移動方向ＳＤｙを含み、映像の移動量ＳＱは、Ｘ軸移動量ＳＱｘ及びＹ軸移動量ＳＱｙを含むことができる。
【０１０６】
図６では、Ｘ軸移動方向ＳＤｘが陽の方向（右側）の場合を（＋）で表示しており、Ｘ軸移動方向ＳＤｘが陰の方向（左側）の場合を（−）で表示した。
【０１０７】
また、Ｙ軸移動方向ＳＤｙが陽の方向（上側）の場合を（＋）で表示しており、Ｙ軸移動方向ＳＤｙが陰の方向（下側）の場合を（−）で表示した。ただし、これは、一実施例に過ぎず、映像の移動方向ＳＤに対する表現方式は、多様に変更されることができる。
【０１０８】
映像の移動量ＳＱは、画素を基準として設定されることができる。例えば、Ｘ軸移動量ＳＱｘが４に設定された場合、該映像は左側または右側に画素基準で４桁移動することができる。
【０１０９】
また、Ｙ軸移動量ＳＱｙが３に設定された場合、該映像は上側または下側へ画素基準で３桁移動することができる。
【０１１０】
ここで、例示的にシフト決定部１４３がルックアップテーブルＬＵＴを利用することについて説明したが、シフト決定部１４３は、ルックアップテーブルＬＵＴを取り替えることができる数学式を通じて映像の移動方向ＳＤ、及び移動量ＳＱを算出することができる。
【０１１１】
図７は、本発明の実施例によって映像が移動される様子を示した図面である。特に、図７では、シフト決定部１４３によって算出された映像の移動方向ＳＤ及び移動量ＳＱによって映像が移動される様子を図示した。
【０１１２】
第１映像Ｉｍ１は、ピクセルシフト機能が適用されない映像で、第２映像Ｉｍ２は、ピクセルシフト機能が適用された映像である。
【０１１３】
例えば、第１映像Ｉｍ１は、第１映像データＤｉ１に対応する映像で、第２映像Ｉｍ２は、映像補正部１５０によって補正された第２映像データＤｉ２に対応する映像でありえる。
【０１１４】
一例として、立ち上がり位置生成部１４１によって生成された映像位置情報ＰＩが「１００１０」値を有する場合、図６に示されたルックアップテーブルＬＵＴによってＸ軸移動方向ＳＤｘ及びＸ軸移動量ＳＱｘは、それぞれ「左側（−）」と「５」に算出されて、Ｙ軸移動方向ＳＤｙ及びＹ軸移動量ＳＱｙは、それぞれ「右側（＋）」と「５」に算出されることができる。したがって、第２映像Ｉｍは、第１映像Ｉｍ１対比左側へ５桁、上側へ５桁移動することができる。
【０１１５】
図８Ａないし図８Ｂは、本発明の実施例による映像補正部の動作について説明するための図面である。
【０１１６】
本発明の実施例による映像補正部１５０は、映像シフト制御部１４０から伝達された映像の移動方向ＳＤ及び移動量ＳＱを反映し、第１映像データＤｉ１を第２映像データＤｉ２に補正することができる。
【０１１７】
第１映像データＤｉ１は、複数のデータ値を含み、前記データ値は、それぞれ該映像座標ｘ、ｙに対応することができる。この際、映像補正部１５０は、特定の映像座標ｘ、ｙのデータ値をそれに対応する補正座標Ｘ、Ｙに移動させることができる。
【０１１８】
例えば、Ｘ軸移動方向ＳＤｘとＸ軸移動量ＳＱｘがそれぞれ「左側（−）」と「５」で、Ｙ軸移動方向ＳＤｙとＹ軸移動量ＳＱｙがそれぞれ「右側（＋）」と「５」の場合、補正座標Ｘ、Ｙは、（ｘ-５、ｙ+５）の座標値を有することができる。したがって、映像座標８、３のデータ値「１６０」は、補正座標である３、８に移動されることができる。
【０１１９】
映像補正部１５０は、上述した動作を通じて第１映像データＤｉ１に含まれたすべてのデータ値を補正座標Ｘ、Ｙに移動させることで、第２映像データＤｉ２を生成することができる。
【０１２０】
表示駆動部１２０は、映像補正部１５０から第２映像データＤｉ２の供給を受けて、前記第２映像データＤｉ２を利用して特定方向に移動された第２映像Ｉｍ２を表示パネル１１０に表示することができる。そのため、別途のメモリーを利用することなく、映像の位置を変更することができる。
【０１２１】
映像補正部１５０の映像データ補正方式は、映像の移動方向ＳＤ及び移動量ＳＱを反映して行われれば充分であり、上述した方式と異なるように行われる場合がある。
【０１２２】
図９は、本発明の他の実施例による立ち上がり位置生成部を示した図面である。
【０１２３】
本発明の他の実施例による立ち上がり位置生成部１４１′は、図４に示された立ち上がり位置生成部１４１に比べて多い数のサンプルデータを利用するという点から差がある。
【０１２４】
前記図４に係わる立ち上がり位置生成部１４１と重複される構成に対しては説明を略する。
【０１２５】
図９を参照すれば、立ち上がり位置生成部１４１′は、第１サンプルデータの一部のビットＢｄｓ１の入力を受ける第１フリップフロップ部４１０、第２サンプルデータの一部のビットＢｄｓ２の入力を受ける第２フリップフロップ部４２０、及び第３サンプルデータの一部のビットＢｄｓ３の入力を受ける第３フリップフロップ部４３０を含むことができる。
【０１２６】
また、立ち上がり位置生成部１４１′は、各フリップフロップ部４１０、４２０、４３０から出力される信号の取り集めのために、別途の組み合わせ部２２９、２４９、２６９をさらに含むことができる。この際、第１サンプルデータ、第２サンプルデータ及び第３サンプルデータは、互いに異なる映像データでありえる。
【０１２７】
例えば、第１サンプルデータは、赤色映像データで、第２サンプルデータは緑色映像データであり、第３サンプルデータは青色映像データで設定されうる。
【０１２８】
第１フリップフロップ部４１０は、第１フリップフロップ２１０と複数の第２フリップフロップ２２１、２２２、２２３、２２４を含むことができる。
【０１２９】
第１フリップフロップ２１０は、第１サンプルデータの一部のビットＢｄｓ１を第１入力端Ｄを介して入力を受けて、複数の第２フリップフロップ２２１、２２２、２２３、２２４は、前のフリップフロップの出力信号の入力を受けることができる。このために、前のフリップフロップの出力端Ｑは、次のフリップフロップの入力端Ｄに連結されることができる。
【０１３０】
また、各フリップフロップ２１０、２２１、２２２、２２３、２２４の第２入力端Ｃにはクロック信号ＣＬＫが入力されることができる。
【０１３１】
フリップフロップ２１０、２２１、２２２、２２３、２２４は、第１フリップフロップ２１０に入力された第１サンプルデータの一部のビットＢｄｓ１に対応して、各自の出力端Ｑを介して信号Ｅ１、Ｅ２、Ｅ３、Ｅ４、Ｅ５を出力することができる。
【０１３２】
第１組み合わせ部２２９は、第１フリップフロップ部４１０から出力信号Ｅ１、Ｅ２、Ｅ３、Ｅ４、Ｅ５を受信して、前記出力信号Ｅ１、Ｅ２、Ｅ３、Ｅ４、Ｅ５を組み合わせて生成された組み合わせ信号ＣＭ１を選択部３１０に伝達することができる。この際、組み合わせ信号ＣＭ１は、実質的に映像位置情報ＰＩと同一の構成を有するので、映像位置情報ＰＩとも指称されることができる。
【０１３３】
また、第１フリップフロップ２１０に入力される第１サンプルデータの一部のビットＢｄｓ１は、第１サンプルデータの最上位ビット、最下位ビットまたは最上位ビットと最下位ビットとの間に位置したビットのうち一つでありえる。
【０１３４】
図９では、５個のフリップフロップ２１０、２２１、２２２、２２３、２２４を図示したが、その個数は多様に変化されることができる。
【０１３５】
第２フリップフロップ部４２０は、第３フリップフロップ２３０と複数の第４フリップフロップ２４１、２４２、２４３、２４４を含むことができる。
【０１３６】
第３フリップフロップ２３０は、第２サンプルデータの一部のビットＢｄｓ２を第１入力端Ｄを介して入力を受けて、複数の第４フリップフロップ２４１、２４２、２４３、２４４は、前のフリップフロップの出力信号の入力を受けることができる。このために、前のフリップフロップの出力端Ｑは、次のフリップフロップの入力端Ｄに連結されることができる。
【０１３７】
また、各フリップフロップ２３０、２４１、２４２、２４３、２４４の第２入力端Ｃには、クロック信号ＣＬＫが入力されることができる。
【０１３８】
フリップフロップ２３０、２４１、２４２、２４３、２４４は、第３フリップフロップ２３０に入力された第２サンプルデータの一部のビットＢｄｓ２に対応して、各自の出力端Ｑを介して信号Ｆ１、Ｆ２、Ｆ３、Ｆ４、Ｆ５を出力することができる。
【０１３９】
第２組み合わせ部２４９は、第２フリップフロップ部４２０から出力信号Ｆ１、Ｆ２、Ｆ３、Ｆ４、Ｆ５を受信して、前記出力信号Ｆ１、Ｆ２、Ｆ３、Ｆ４、Ｆ５を組み合わせて生成された組み合わせ信号ＣＭ２を選択部３１０に伝達することができる。この際、組み合わせ信号ＣＭ２は、実質的に映像位置情報ＰＩと同一の構成を有するので、映像位置情報ＰＩとも指称されることができる。
【０１４０】
また、第３フリップフロップ２３０に入力される第２サンプルデータの一部のビットＢｄｓ２は、第２サンプルデータの最上位ビット、最下位ビットまたは最上位ビットと最下位ビットとの間に位置したビットのうち一つでありえる。
【０１４１】
図９では、５個のフリップフロップ２３０、２４１、２４２、２４３、２４４を図示したが、その個数は多様に変化されることができる。
【０１４２】
第３フリップフロップ部４３０は、第５フリップフロップ２５０と複数の第６フリップフロップ２６１、２６２、２６３、２６４を含むことができる。
【０１４３】
第５フリップフロップ２５０は、第３サンプルデータの一部のビットＢｄｓ３を第１入力端Ｄを介して入力を受けて、複数の第６フリップフロップ２６１、２６２、２６３、２６４は、前のフリップフロップの出力信号の入力を受けることができる。このために、前のフリップフロップの出力端Ｑは、次のフリップフロップの入力端Ｄに連結されることができる。
【０１４４】
また、各フリップフロップ２５０、２６１、２６２、２６３、２６４の第２入力端Ｃには、クロック信号ＣＬＫが入力されることができる。
【０１４５】
フリップフロップ２５０、２６１、２６２、２６３、２６４は、第５フリップフロップ２５０に入力された第３サンプルデータの一部のビットＢｄｓ３に対応して、各自の出力端Ｑを介して信号Ｇ１、Ｇ２、Ｇ３、Ｇ４、Ｇ５を出力することができる。
【０１４６】
第３組み合わせ部２６９は、第３フリップフロップ部４３０から出力信号Ｇ１、Ｇ２、Ｇ３、Ｇ４、Ｇ５を受信して、前記出力信号Ｇ１、Ｇ２、Ｇ３、Ｇ４、Ｇ５を組み合わせて生成された組み合わせ信号ＣＭ３を選択部３１０に伝達することができる。この際、組み合わせ信号ＣＭ３は、実質的に映像位置情報ＰＩと同一の構成を有するので、映像位置情報ＰＩとも指称されることができる。
【０１４７】
また、第５フリップフロップ２５０に入力される第３サンプルデータの一部のビットＢｄｓ３は、第３サンプルデータの最上位ビット、最下位ビットまたは最上位ビットと最下位ビットとの間に位置したビットのうち一つでありえる。
【０１４８】
図９では、５個のフリップフロップ２５０、２６１、２６２、２６３、２６４を図示したが、その個数は多様に変化されることができる。
【０１４９】
選択部３１０は、制御信号Ｃｏｎに対応して、第１フリップフロップ部４１０、第２フリップフロップ部４２０及び第３フリップフロップ部４３０から出力された信号ＣＭ１、ＣＭ２、ＣＭ３のうちいずれか一つを選択し、選択された信号を映像位置情報ＰＩとして出力することができる。この際、制御信号Ｃｏｎは、第１フリップフロップ部４１０から出力される信号Ｅ１、Ｅ２、Ｅ３、Ｅ４、Ｅ５のうち一部を制御信号Ｃｏｎとして入力を受けることができる。
【０１５０】
例えば、図９に示されたように、制御信号Ｃｏｎは、第１出力信号Ｅ１及び第２出力信号Ｅ２を含んで構成されることができる。この場合、内部から生成された信号を選択部３１０の制御信号Ｃｏｎとして利用するため、別途の制御信号Ｃｏｎを生成する必要がない。
【０１５１】
選択部３１０から出力された映像位置情報ＰＩは、前述したように、シフト決定部１４３に入力されることができる。また、図９では、例示的にＤフリップフロップを図示したが、フリップフロップの種類は多様に変化されることができる。
【０１５２】
以上、本発明の実施例について説明してきたが、本発明はこれに限定されずに種々の変更、改良を行うことができる。
【符号の説明】
【０１５３】
１０    表示装置
１００  ホスト
１１０  表示パネル
１２０  表示駆動部
１２１  走査駆動部
１２２  データ駆動部
１２５  タイミング制御部
１４０  映像シフト制御部
１４１  立ち上がり位置生成部
１４３  シフト決定部
１５０  映像補正部
【図１】
0006721986.tif 000002
【図２】
0006721986.tif 000003
【図３】
0006721986.tif 000004
【図４】
0006721986.tif 000005
【図５】
0006721986.tif 000006
【図６】
0006721986.tif 000007
【図７】
0006721986.tif 000008
【図８Ａ】
0006721986.tif 000009
【図８Ｂ】
0006721986.tif 000010
【図９】
0006721986.tif 000011